(57)【要約】【課題】突堤に透過性をもたせ、漂砂を制御する突堤としての機能を維持しつつ構造物の下手側にも砂が供給されるようにし、下手側の洗掘を防止して構造物の安定性を得る。【解決手段】海底に砕石等を積み上げ、岸側においてはその上に透過性を有しない表面ブロック２を設置する。沖側には、横方向に貫通口１０を形成したものを一段または複数段に積み上げて突堤１を構築し、貫通口を海岸に平行に設置する。突堤１の下部は不透過性なので、漂砂は突堤１の上手側に堆積を始める。砂の堆積量が一定以上になると、突堤の上部に位置する箱型ブロック１１の貫通口１０を通って漂砂が突堤の下手側にも供給されて堆積するので、下手側の洗掘がほぼなくなり、突堤の沈下が防止されて安定した構造物となる。【選択図】図１
2006118322.tif 000002
【特許請求の範囲】
【請求項１】
貫通口が形成してあるブロックの貫通口を岸に対して平行に設置し、沿岸流が突堤を通過可能とした漂砂を制御する突堤。
【請求項２】
請求項１において、沖側に向かってブロックの天端高さを階段状に低くして越流部を設けた漂砂を制御する突堤。
【請求項３】
請求項１において、突堤の中間部に越流部を設けた漂砂を制御する突堤。
【請求項４】
突堤の中間部の天端高を低くして越流部を設けた漂砂を制御する突堤。
【発明の詳細な説明】
【技術分野】
【０００１】
本発明は、沿岸流に起因する海岸侵食によって生じる漂砂を制御する突堤に関する。
【背景技術】
【０００２】
沿岸域に存在する離岸流や沿岸流によって海底の砂が移動し、海岸線が侵食されている。海岸侵食の原因は、砂を供給する河川の上流にダムを築造することによって陸域からの供給砂が減少していることだけではない。総漂砂量は、その海岸内において保存されるものであるが、港湾や防波堤などの構造物の築造によっても流れが変化し、侵食を助長する場合がある。
【０００３】
海岸から沖側へ向かう漂砂の制御については、特に高波が発生する海岸では、離岸堤、あるいは人工リーフ等を設置し、岸に押し寄せる波を静穏にすることによって沖側への砂の流出を防止している。
一例をあげると、図７及び図８に示すように、コンクリートブロック製の１０ｔ〜３０ｔの大型消波ブロックを複数並べて人工リーフ（潜堤）を形成し、この潜堤によって岸側を静穏な海域として海洋レクレーションに利用することがおこなわれており、箱型形状の側面及び底面が全面開放され、上面に複数の開口を設けた透過型中空消波ブロックをマウンド上に設置した人工リーフが特許文献３（特許第２８４７３９９号公報）に提案され、実用化されている。
【０００４】
人工リーフや離岸提の設置によって、構造物の背後にはトンボロ（陸繋砂洲）のような堆積地形が形成される。しかし、構造物を越えた波は構造物背後の水位上昇を生じさせるため、この水面の高低差によって、構造物背後では沿岸流が、構造物と構造物の間では、沖向きの離岸流が生じてしまい、沿岸流による構造物背後の局所的な洗掘、また、離岸流による構造物と構造物の間の洗掘が引き起こされる。
【０００５】
離岸流による海底の洗掘、侵食を防止し得るようにしたものが、例えば特許文献１（特開平２−８８８１０号公報)、特許文献２（特開平９−１２５３３６号公報)に開示されており、侵食防止マットを海底に敷設したり、曲折板体を汀線に平行に海底に固定することが提案されている。
【０００６】
一方、沿岸流による漂砂を制御する方策として自然界に見られる岬と岬の間に挟まれた小さな砂浜が安定であることから、人工の岬（突堤）を形成するヘッドランド工法がある。
この工法は、自然の法則に逆らわないで海岸波浪のエネルギーを消散させ、漂砂量を制御して海浜を安定化させるものであり、養浜工と併用すれば、ヘッドランドにより養浜砂の流失が制御でき、効率的な自然海浜の造成が可能となる。概略を示すと図５に示すように、海岸線に直角にＴ型、またはＬ型の突堤を複数海岸に沿って構築するものであり、設置後には図６に示すように漂砂が堆積し、安定した海浜が得られる。
【特許文献１】特開平２−８８８１０号公報
【特許文献２】特開平９−１２５３３６号公報
【特許文献３】特許第２８４７３９９号公報
【特許文献４】特開２００３−３４２９３０号公報
【発明の開示】
【発明が解決しようとする課題】
【０００７】
沿岸流による漂砂を制御するため海岸に突堤を構築すると、漂砂は突堤の上手側に堆積するが、突堤自体は、図４に示すように、捨石とその前面と周囲が突起を有する消波ブロックの突起同士を噛み合わせて積み上げたものから構成されているため、透過性がほとんどなく、図６に示すように、突堤の上手側には砂が堆積されるが、下手側は流れの剥離や、上手側からの砂の供給が少なくなって洗掘され、海岸線はノコ歯状になってしまう。
【０００８】
下手側の洗掘による侵食が著しい場合は、構造物底部の砂が吸い出されて安定性が損なわれ、沈下を引き起こすことさえある。
そこで、本発明は、突堤に透過性をもたせ、漂砂を制御する突堤としての機能を維持しつつ構造物の下手側にも砂が供給されるようにし、更に、下手側の洗掘を防止して構造物の安定性を得るものである。
【課題を解決するための手段】
【０００９】
貫通口が形成してあるブロックの貫通口を岸に対して平行に設置し、沿岸流が突堤を通過可能とすることによって突堤の下手側にも漂砂を供給して漂砂を制御するものである。
また、沖側に向かってブロックの天端高さを階段状に低くすることによって、突堤の沖側において越流させ、これによっても漂砂を下手側に供給するものである。
【００１０】
沿岸流による漂砂は、突堤によって流れが阻止されて上手側に堆積するが、岸に平行な貫通口を通じて下手側にも砂が供給されるので、従来、侵食されるだけであった下手側にも漂砂が堆積し、漂砂の堆積で形成される海岸線のノコ歯の形状を緩やかなものにすることができ、比較的滑らかな海岸線の形状とすることができる。
【００１１】
また、突堤の先端側のブロックの天端を低くすることによって、越流を起こさせ、この越流によっても漂砂を突堤の下手側に供給されるようにし、下手側の漂砂の堆積量を増大させている。
下手側に漂砂が供給されることによって下手側の洗掘をほぼなくすることができ、構造物の沈下を防止することができ、安定した構造物となる。
また、貫通口を設けたことによりブロックの重量が軽減され、取り扱いが容易であり、また、単位面積あたりの荷重が軽減されので、簡易な基礎とすることができる。
【発明を実施するための最良の形態】
【００１２】
実施例１
図１に示すように、海底に砕石等を積み上げ、岸側においてはその上に透過性を有しない表面ブロック２を設置する。沖側には、平面で４ｍ角で、厚さが１．５ｍの箱型ブロック１１の横方向に貫通口１０を形成したものを一段または複数段に積み上げて突堤１を構築する。
貫通口１０の形状は、任意であり、矩形もしくは円形または楕円などである。図３に示すように貫通口１０は複数としてもよい。
【００１３】
また、箱型ブロック１１を相互に連結するために上下、または、前後にキーとキー溝（図示しない）が設けてあり、波浪による移動を防止している。突堤１の先端及び両脇には、適宜の形状の消波ブロック４を積み上げる。
【００１４】
突堤１の下部は、不透過性であるので、沿岸流による漂砂は突堤１の上手側に堆積を始める。砂の堆積量が一定以上になると、突堤の上部に位置する箱型ブロック１１の貫通口１０を通って漂砂が突堤の下手側にも砂が供給されて堆積するので、下手側の洗掘がほぼなくなり、突堤の沈下が防止される。
【００１５】
実施例２
図２に示すように、突堤１の先端側にいくにしたがって、貫通口１０を有する箱型ブロック１１の天端を階段状に低くして越流部を設けたものである。先端側を低くすることによって越流を起こさせ、越流に乗って漂砂が下手側に供給されるようにしたものである。
【００１６】
越流部は、突堤の先端だけでなく中間部の適所に設けることも可能である。越流部は、階段状だけに限定されるものでなく、直立壁や斜壁、曲線状でもよく、また、複数の越流部を設けることが可能である。この場合は、貫通口を設けなくても越流部から漂砂が下手側に供給される。
【産業上の利用可能性】
【００１７】
本発明の漂砂制御突堤は、貫通口を岸に対して平行な方向に向けて設置してあるので、沿岸流が突堤を通過可能であり、突堤の上手側に堆積した漂砂が一定量を超えると貫通口を通じて下手側にも供給されて堆積を始めるので、下手側の洗掘が解消でき、滑らかな海岸線とすると共に、突堤の沈下を防止することができる。
【００１８】
また、突堤の上部に設置したブロックの天端高さを沖側に向かって低くして越流部を設けてあるので、越流によって漂砂を下手側に供給することができる。
貫通口を設けたことによりブロックの重量が軽減され、取り扱いが容易であり、また、単位面積あたりの荷重が軽減されるので、簡易な基礎とすることができる。
【００１９】
ブロックを積み上げて一体化することができる構造なので、地球温暖化などの原因で海水位が上昇した場合でも、ブロックの積み増しによって容易に対応することが可能である。
更に、貫通口は生物の生息空間としても利用される可能性があり、魚類、甲殻類のための魚礁として利用することができる。
【図面の簡単な説明】
【００２０】
【図１】本発明の実施例１の断面図。
【図２】本発明の実施例２の断面図
【図３】箱型ブロックの貫通口を示す断面図。
【図４】従来の突堤の断面図。
【図５】ヘッドランドの原理の説明図。
【図６】ヘッドランドによる漂砂の堆積状態の説明図。
【図７】中空ブロックを使用した潜堤の断面図。
【図８】潜堤の配置状態を示す平面図。
【符号の説明】
【００２１】
１    突堤
１０  貫通口
１１  箱型ブロック
２    表面ブロック
【図１】
2006118322.tif 000003
【図２】
2006118322.tif 000004
【図３】
2006118322.tif 000005
【図４】
2006118322.tif 000006
【図５】
2006118322.tif 000007
【図６】
2006118322.tif 000008
【図７】
2006118322.tif 000009
【図８】
2006118322.tif 000010